(57)【要約】【課題】  錠装置の施解錠操作に伴う連結軸の回転角が３６０゜を超える場合であっても、誤表示を行うことなく、施解錠状態を明確に表示でき、しかも、様々なタイプの錠装置に兼用可能な施解錠表示装置を提供する。【解決手段】  室内側に設けられるスライドラッチ錠１に連結され、該スライドラッチ錠１の施解錠操作に応じて正逆回転する連結軸４０３と、該連結軸４０３に連動して正逆回転し、施解錠状態を室外側で表示する表示体４０４とを備える施解錠表示装置４であって、ラッチ体１０２の施錠操作に応じて一方向に回転した表示体４０４を施錠表示位置で係止すると共に、解錠操作に応じて他方向に回転した表示体４０４を解錠表示位置で係止するように構成し、さらに、連結軸４０３と表示体４０４との間に、所定以上の負荷に応じて連結軸４０３と表示体４０４との連動を断つクラッチを構成する。【選択図】        図７
2005036575.tif 000002
【特許請求の範囲】
【請求項１】
室内側に設けられる錠装置に連結され、該錠装置の施解錠操作に応じて正逆回転する連結軸と、該連結軸に連動して正逆移動し、前記錠装置の施解錠状態を室外側で切り替え表示する表示体とを備える施解錠表示装置であって、前記錠装置の施錠操作に応じて一方向に移動した前記表示体を、施錠表示位置で係止すると共に、前記錠装置の解錠操作に応じて他方向に移動した前記表示体を、解錠表示位置で係止するように構成し、さらに、前記連結軸と前記表示体との間に、所定以上の負荷に応じて前記連結軸と前記表示体との連動を断つクラッチを構成したことを特徴とする施解錠表示装置。
【請求項２】
請求項１記載の施解錠表示装置において、前記表示体は、回転移動により表示切り替えされることを特徴とする施解錠表示装置。
【請求項３】
請求項１又は２に記載の施解錠表示装置において、前記表示体は、施錠表示領域及び解錠表示領域を有し、前記表示体を覆うカバー体の表示窓を介して、施錠表示領域又は解錠表示領域を表示するものであり、各表示領域の境界部には突起が形成され、該突起と表示窓との係合により、各方向への移動が係止されることを特徴とする施解錠表示装置。
【請求項４】
請求項１乃至３の何れかに記載の施解錠表示装置において、前記クラッチは、前記連結軸の室外側端部に形成されるフランジ部と、該フランジ部を前記表示体の裏面に押し当てるバネとにより構成されることを特徴とする施解錠表示装置。
【請求項５】
請求項１乃至４の何れかに記載の施解錠表示装置において、前記錠装置は、施錠操作又は解錠操作における前記連結軸の回転角が３６０゜を超えるスライドラッチ錠であることを特徴とする施解錠表示装置。
【発明の詳細な説明】
【技術分野】
【０００１】
本発明は、共用トイレのドアなどに設けられ、室外側における錠装置の施解錠状態を室外側で表示する施解錠表示装置に関する。
【背景技術】
【０００２】
一般に、共用トイレのドアには、使用中か否かを視認できるように、室内側における錠装置の施解又は錠状態を室外側で表示する施解錠表示装置が設けられている。この種の施解錠表示装置は、室内側に設けられる錠装置に連結され、該錠装置の施解錠操作に応じて正逆回転する連結軸と、該連結軸に連動して正逆回転し、錠装置の施解錠状態を室外側で表示する表示体とを備えて構成されている。
【０００３】
上記表示体は、通常、施錠表示領域（例えば、赤色シール領域）及び解錠表示領域（例えば、青色シール領域）を有し、表示体を覆うカバー体の表示窓を介して、施錠表示領域又は解錠表示領域を露出させる構成となっている。つまり、錠装置が施錠状態のとき、表示窓位置に施錠表示領域が到達し、また、錠装置が解錠状態のとき、表示窓位置に解錠表示領域が到達するように各表示領域が設定されている。
【０００４】
ところで、錠装置のなかには、例えば、ラッチをスライド操作するスライドラッチ錠のように、ラック・ピニオン方式で連結軸を回転させるものがある。この種の錠装置では、施錠操作や解錠操作に伴う連結軸の回転角が３６０゜（１回転）を超えており、例えば５４０゜（１回転半）に達する。従って、このような錠装置では、例えば、解錠状態から施錠操作を行うと、表示窓の表示が解錠表示から施錠表示に変化した後、再び解錠表示を経て施錠表示となるような表示設定となっている（例えば、青→赤→青→赤）。
【０００５】
しかしながら、上記のような表示設定にすると、ラッチを中途半端な位置で止めた場合に、解錠状態であるにも拘わらず施錠表示になるなど、誤表示が行われる可能性がある。また、従来の施解錠表示装置は、方式（スライドラッチ錠、打掛け錠など）や連結軸の回転角が異なる錠装置に兼用することができないため、錠装置のタイプ毎に専用の施解錠表示装置が必要になり、コストアップの一因となっていた。
【特許文献１】特開２００１−２５４５３６号公報（第３頁、第２図）
【発明の開示】
【発明が解決しようとする課題】
【０００６】
本発明は、上記の如き問題点を一掃すべく創案されたものであって、錠装置の施解錠操作に応じて正逆切り替え表示する表示体を備えるものでありながら、表示体の表示切り替えを、施解錠操作に必要な全操作ストロークを用いることなく、初期操作における僅かなストローク（連結軸の僅かな回転角）をもって切り替え動作を確実に完了し得るばかりか、切り替え後の表示体は、余操作ストロークの動作に追随することなくその動作を規制することができ、たとえ施解錠操作が中途半端な操作によって行われたとしても、施錠又は解錠状態と異なる誤表示を確実に防止して、状態を反映した正確な表示ができるようになり、その結果、施解錠操作に必要なストロークが異なっていても、表示体を移動切り替えする連結軸の回転角に影響されることがなくなり、様々なタイプの錠装置に兼用することができる施解錠表示装置を提供することを目的とする。
【課題を解決するための手段】
【０００７】
上記課題を解決するために本発明の施解錠表示装置は、室内側に設けられる錠装置に連結され、該錠装置の施解錠操作に応じて正逆回転する連結軸と、該連結軸に連動して正逆移動し、前記錠装置の施解錠状態を室外側で切り替え表示する表示体とを備える施解錠表示装置であって、前記錠装置の施錠操作に応じて一方向に移動した前記表示体を、施錠表示位置で係止すると共に、前記錠装置の解錠操作に応じて他方向に移動した前記表示体を、解錠表示位置で係止するように構成し、さらに、前記連結軸と前記表示体との間に、所定以上の負荷に応じて前記連結軸と前記表示体との連動を断つクラッチを構成したことを特徴とするものである。
【発明の効果】
【０００８】
本発明は、前記錠装置１の施錠操作に応じて一方向に移動した前記表示体４０４を、施錠表示位置で係止すると共に、前記錠装置１の解錠操作に応じて他方向に移動した前記表示体４０４を、解錠表示位置で係止するように構成し、さらに、前記連結軸４０３と前記表示体４０４との間に、所定以上の負荷に応じて前記連結軸４０３と前記表示体４０４との連動を断つクラッチを構成したことことにより、錠装置１の施解錠操作に応じて正逆切り替え表示する表示体を備えるものでありながら、表示体４０４の表示切り替えを、施解錠操作に必要な全操作ストロークを用いることなく、初期操作における僅かなストローク（連結軸４０３の僅かな回転角）をもって切り替え動作を確実に完了し得るばかりか、切り替え後の表示体４０４は、余操作ストロークの動作に追随することなくその動作を規制することができ、たとえ施解錠操作が中途半端な操作によって行われたとしても、施錠又は解錠状態と異なる誤表示を確実に防止して、状態を反映した正確な表示ができるようになり、その結果、施解錠操作に必要なストロークが異なっていても、表示体を移動切り替えする連結軸４０３の回転角に影響されることがなくなり、様々なタイプの錠装置に兼用することができる。
【発明を実施するための最良の形態】
【０００９】
以下、本発明の実施の形態を好適な実施の形態として例示する施解錠表示装置を図面に基づいて詳細に説明する。
【実施例１】
【００１０】
図面において、１は共用トイレのドア２に取り付けられるスライドラッチ錠（錠装置）であって、該スライドラッチ錠１は、ドア２の室内側面に取り付けられる錠本体１０１と、該錠本体１０１に左右方向スライド自在に支持される断面略Ｃ字状のラッチ体１０２とを備える。一方、開口枠３側には、ラッチ受け３０１が設けられており、このラッチ受け３０１に体するラッチ体１０２の係脱操作により、ドア２の施解錠が行われる。
錠本体１０１には、ドア２内に挿入されるナット脚１０３と、ラッチ体１０２のラック部にピニオン歯車部１０４を介して噛合し、ラッチ体１０２のスライド操作に応じて回転する非円形の回転軸１０５とが設けられているが、これらスライドラッチ錠１の基本構成は、従来のスライドラッチ錠と略同じである。尚、本実施形態のスライドラッチ錠１は、施錠又は解錠に必要な操作ストロークにおいて、回転軸１０５の回転角が３６０゜を超えており、具体的には、５４０゜に達する。
【００１１】
ドア２の室外側面には、施解錠表示装置４が取り付けられる。この施解錠表示装置４は、取付けボルト４０１を介して、スライドラッチ錠１のナット脚１０３に固定される取付け部材４０２と、該取付け部材４０２に回転自在に支持され、スライドラッチ錠１の回転軸１０５に一体回動可能に連結される連結軸４０３と、該連結軸４０３に連動して回転する表示体４０４と、該表示体４０４を覆うように取付け部材４０２に装着されるカバー体４０５と、取付け部材４０２とドア２との間に挟持状に固定される引き手部材４０６とを備える。
【００１２】
連結軸４０３は、回転軸１０５の断面形状に対応する非円形の連結穴４０３ａを有し、ここに回転軸１０５が嵌挿される。連結軸４０３の先端側には、フランジ部４０３ｂと、該フランジ部４０３ｂの中心部から突出する緊急解錠操作部４０３ｃとが形成されている。緊急解錠操作部４０３ｃは、ドライバーなどで回し操作可能な溝を有し、カバー体４０５に形成される緊急解錠口４０５ａを介して外部に露出している。つまり、何らかの理由で室内側からの解錠ができない緊急時においては、緊急解錠操作部４０３ｃをドライバーなどで回し、連結軸４０３及び回転軸１０５を介してラッチ体１０２をスライドさせることにより、室外側からでもスライドラッチ錠１を解錠操作することができるようになっている。
【００１３】
表示体４０４は、ドーナッツ形状の円盤部材であり、カバー体４０５の内面と回転軸１０５のフランジ部４０３ｂとの間に介装され、緊急解錠操作部４０３ｃを中心として回転自在に支持されている。表示体４０４の表面は、施錠表示領域４０４ａ及び解錠表示領域４０４ｂを有し、カバー体４０５に形成される扇型（例えば、１１０゜）の表示窓４０５ｂを介して、施錠表示領域４０４ａ又は解錠表示領域４０４ｂを外部に臨ませることにより、施解錠表示を行うように構成されている。尚、本実施形態では、表示体４０４の表面に、半円状の赤色シール及び青色シールを貼着し、施錠表示領域４０４ａ及び解錠表示領域４０４ｂを形成している。
【００１４】
施錠表示領域４０４ａと解錠表示領域４０４ｂの境界部には、縦長状の突起４０４ｃが形成されている。この突起４０４ｃは、表示窓４０５ｂ内に突出しており、表示窓４０５ｂの左右縁部に係合することにより、表示体４０４の回転範囲（例えば、１０３゜）が規制される。つまり、突起４０４ｃは、ラッチ体１０２の施錠操作に応じて一方向に回転した表示体４０４を施錠表示位置で係止すると共に、ラッチ体１０２の解錠操作に応じて他方向に回転した表示体４０４を解錠表示位置で係止するように設けられている。尚、表示体４０４の回転係止手段は、上記の突起４０４ｃと表示窓４０５ｂの係合に限定されない。例えば、表示体４０４の外周部に凸部を設け、この凸部を、カバー体４０５の内面に突設した一対の突起で係止するようにしてもよい。
【００１５】
連結軸４０３と表示体４０４との間には、所定以上の負荷に応じて、連結軸４０３と表示体４０４との連動を断つクラッチ（トルクリミッター）が構成されている。本実施形態のクラッチは、連結軸４０３の室外側端部に形成されるフランジ部４０３ｂと、該フランジ部４０３ｂを表示体４０４の裏面に押し当てるバネ４０７とを用いて構成される。また、クラッチの状態設定（滑り抵抗）は、フランジ部４０３ｂと表示体４０４との間に、滑り抵抗部材（ゴムなど）や滑り促進部材（グリースなど）を適宜介装したり、バネ４０７の付勢力を変更することにより行われる。例えば、クラッチ入り状態では、連結軸４０３から表示体４０４への回転伝達が確実に行われ、クラッチ切り状態では、ラッチ体１０２の操作荷重を増大させない程度の滑り抵抗を設定することが好ましい。尚、クラッチは、トルクリミッターとして機能するものであれば、上記のものに限定されないことは言うまでもない。
【００１６】
叙述の如く構成された本発明の実施の形態において、使用中か否かを表示する表示体４０４を、スライドラッチ錠１の施錠操作に応じて正逆移動することで施錠・解錠状態の表示切り替えを行わしめるのであるが、本発明における施解錠表示装置は、一方向に移動した表示体４０４を施錠表示位置で係止し、他方向に移動した表示体４０４を解錠表示位置で係止するように構成されており、さらに、連結軸４０３と表示体４０４との間に、所定以上の負荷に応じて連結軸４０３と表示体４０４との連動を断つクラッチにて構成されている。
そのため、スライドラッチ錠１のラッチ体１０２が解錠位置にあるときは、表示体４０４の解錠表示領域４０４ｂが表示窓４０５ｂを介して外部を臨み、室外側で解錠表示が行われる。この状態で、ラッチ体１０２を施錠操作すると、連結軸４０３の回転に伴って表示体４０４が一方向に回転する。表示体４０４は、一方向に所定角度（例えば、１０３゜）回転した段階で、施錠表示領域４０４ａを表示窓４０５ｂに臨ませ（施錠表示位置）、施錠表示状態に切換わると共に、突起４０４ｃが表示窓４０５ｂの一方の縁部に係合することにより、それ以上の回転が係止される。その後は、連結軸４０３と表示体４０４との間に構成されるクラッチが切り状態となり、ラッチ体１０２を施錠位置までスライド操作しても、連結軸４０３のみが回転し、表示体４０４が施錠表示状態を維持することになる。
【００１７】
一方、施錠状態においてラッチ体１０２を解錠操作すると、連結軸４０３の回転に伴って表示体４０４が他方向に回転する。表示体４０４は、他方向に所定角度（例えば、１０３゜）回転した段階で、解錠表示領域４０４ｂを表示窓４０５ｂに臨ませ（解錠表示位置）、解錠表示状態に切換わると共に、突起４０４ｃが表示窓４０５ｂの他方の縁部に係合することにより、それ以上の回転が係止される。その後は、連結軸４０３と表示体４０４との間に構成されるクラッチが切り状態となり、ラッチ体１０２を解錠位置までスライド操作しても、連結軸４０３のみが回転し、表示体４０４が解錠表示状態を維持することになる。
【００１８】
したがって、室内側に設けられるスライドラッチ錠１に連結され、該スライドラッチ錠１の施解錠操作に応じて正逆回転する連結軸４０３と、該連結軸４０３に連動して正逆切り替え回転し、スライドラッチ錠１の施解錠状態を室外側で表示する表示体４０４とを備えるものでありながら、表示体の表示切り替えを、施解錠操作に必要な全操作ストロークを用いることなく、初期操作における僅かなストローク（連結軸の僅かな回転角）をもって回転切り替え動作を確実に完了し得るばかりか、切り替え後の表示体は、余操作ストロークの動作に追随することなくその回転動作を規制することができる。つまり、スライドラッチ錠１の施解錠操作に伴う連結軸４０３の回転角が３６０゜を超えるような場合であっても、一回の施解錠操作ストロークの中で表示状態を何度も切換えることがなくなり、施解錠状態を明確に表示することが可能になる。これにより、たとえラッチ体１０２を中途半端な位置で止めるような操作が行われたとしても、施錠又は解錠状態と異なる誤表示を確実に防止して、状態を反映した正確な表示ができ、施解錠表示の信頼性を高めることができる。
【００１９】
しかも、本発明による施解錠表示装置４は、一回の施解錠操作ストロークにおいて連結軸４０３を所定角度以上（例えば、１０３゜以上）回転させる錠装置に適用可能であるため、方式（スライドラッチ錠、打掛け錠など）や連結軸４０３の回転角が異なる錠装置に兼用することができ、その結果、施解錠操作に必要なストロークが異なっていても、表示体４０４を回転切り替えする連結軸４０３（回転軸１０５）の回転角に影響されることがなくなり、様々なタイプの錠装置に兼用することができ、錠装置のタイプ毎に専用の施解錠表示装置を用意していた従来に比べ、大幅なコストダウンを図ることができる。さらに、表示体４０４を殊更円盤状に形成する必要が無くなり、移動範囲の表示窓に適合した形状にすることができ、表示窓４０５ｂを引き手カバー体４０５の寸法変更すること無しに、その面域に大きく形成することができる。なお、表示体４０４を回転移動により表示切り替えするようにしたが、これに限定されるものでなく横移動するものであっても良い。
【００２０】
また、前記実施形態の表示体４０４は、施錠表示領域４０４ａ及び解錠表示領域４０４ｂを有し、表示体４０４を覆うカバー体４０５の表示窓４０５ｂを介して、施錠表示領域４０４ａ又は解錠表示領域４０４ｂを表示するものであり、各表示領域４０４ａ、４０４ｂの境界部には突起４０４ｃが形成され、該突起４０４ｃと表示窓４０５ｂとの係合により、各方向への回転が係止されるので、複雑な係止機構を設けることなく、本発明の実施が可能になる。
【００２１】
また、前記実施形態のクラッチは、連結軸４０３の室外側端部に形成されるフランジ部４０３ｂと、該フランジ部４０３ｂを表示体４０４の裏面に押し当てるバネ４０７とを用いて構成されるので、部品点数の増加や構造の複雑化を伴わずに、本発明を実施できるという利点がある。
【図面の簡単な説明】
【００２２】
【図１】スライドラッチ錠及び施解錠表示装置の取付け状態を示す水平断面図である。
【図２】スライドラッチ錠及び施解錠表示装置の取付け状態を示す端面図である。
【図３】（Ａ）はスライドラッチ錠の正面図、（Ｂ）はスライドラッチ錠の水平断面図である。
【図４】施解錠表示装置の正面図である。
【図５】（Ａ）は施解錠表示装置の要部正面図、（Ｂ）は施解錠表示装置の要部垂直断面図である。
【図６】（Ａ）は表示体の正面図、（Ｂ）は表示体の側面図、（Ｃ）は表示体の垂直断面図である。
【図７】（Ａ）は表示体の表示領域を示す正面図、（Ｂ）は施錠表示状態を示す施解錠表示装置の要部正面図、（Ｃ）は解錠表示状態を示す施解錠表示装置の要部正面図である。
【符号の説明】
【００２３】
１        スライドラッチ錠
１０１    錠本体
１０２    ラッチ体
１０３    ナット脚
１０４    ピニオン歯車部
１０５    回転軸
２        ドア
３        開口枠
４        施解錠表示装置
４０１    取付けボルト
４０２    取付け部材
４０３    連結軸
４０３ａ  連結穴
４０３ｂ  フランジ部
４０３ｃ  緊急解錠操作部
４０４    表示体
４０４ａ  施錠表示領域
４０４ｂ  解錠表示領域
４０４ｃ  突起
４０５    カバー体
４０５ａ  緊急解錠口
４０５ｂ  表示窓
４０６    引き手部材
４０７    バネ
【図１】
2005036575.tif 000003
【図２】
2005036575.tif 000004
【図３】
2005036575.tif 000005
【図４】
2005036575.tif 000006
【図５】
2005036575.tif 000007
【図６】
2005036575.tif 000008
【図７】
2005036575.tif 000009